(57)【要約】      （修正有）【課題】設置面から浮かした状態で取り付けることができるフォトフレームを提供する。【解決手段】フォトフレームＦは、写真１を保持した本体２を有し、本体の裏面に突出体４が設けられ、突出体に被案内部５が設けられ、被案内部を案内する案内部７１と本体を支持する支持部を有する取り付け部材７が壁に取り付けられ、案内部は、壁から遠ざかるように間隔を有して複数設けられている。【選択図】図７
0003224074.tif 000002
【実用新案登録請求の範囲】
【請求項１】
写真を保持した本体を有するフォトフレームであって、
前記本体の裏面に突出体が設けられ、
前記突出体に被案内部が設けられ、
前記被案内部を案内する案内部と前記本体を支持する支持部を有する取り付け部材が壁に取り付けられ、
前記案内部は、前記壁から遠ざかるように間隔を有して複数設けられている
ことを特徴とするフォトフレーム。
【請求項２】
写真を保持した本体を有するフォトフレームであって、
前記本体の裏面に突出体が設けられ、
前記突出体に案内部が設けられ、
前記案内部に案内される被案内部と前記本体を支持する支持部を有する取り付け部材が壁に取り付けられ、
前記被案内部は、前記壁から遠ざかるように間隔を有して複数設けられている
ことを特徴とするフォトフレーム。
【請求項３】
本体と枠体との間に挟持された写真を有するフォトフレームであって、
前記本体の裏面に突出体が設けられ、
前記本体の縁部は、時計回りに、第１の辺、第２の辺、第３の辺、第４の辺を有し、
前記突出体は、少なくとも、第１の側面を有し、
前記第１の側面は前記第１の辺に対し平行な関係にあり、
前記第１の側面に前記第１の辺に平行な第１の凸状部が設けられ、
前記第１の凸状部を案内する案内部と前記本体を支持する支持部を有する取り付け部材が壁に取り付けられ、
前記案内部は、前記壁から遠ざかるように間隔を有して複数設けられている
ことを特徴とするフォトフレーム。
【請求項４】
本体の縁部は、正面視、長方形形状であり、
前記本体の縁部は、時計回りに、第１の辺、第２の辺、第３の辺、第４の辺を有し、
突出体は、時計回りに、第１の側面、第２の側面、第３の側面、第４の側面を有し、
前記第１の側面は前記第１の辺に対し平行な関係にあり、
前記第２の側面は前記第２の辺に対し平行な関係にあり、
前記第３の側面は前記第３の辺に対し平行な関係にあり、
前記第４の側面は前記第４の辺に対し平行な関係にあり、
前記第１の側面又は前記第３の側面に前記第１の辺に平行な第１の凸状部が設けられ、
前記第２の側面又は前記第４の側面に前記第２の辺に平行な第２の凸状部が設けられ、
前記第１の凸状部及び前記第２の凸状部を案内する案内部を有すると共に、前記本体を支持する支持部を有する取り付け部材が壁に取り付けられ、
前記案内部は、前記壁から遠ざかるように間隔を有して複数設けられている
ことを特徴とする請求項１記載のフォトフレーム。
【請求項５】
本体の縁部は、正面視、長方形形状であり、
前記本体の縁部は、時計回りに、第１の辺、第２の辺、第３の辺、第４の辺を有し、
突出体は、時計回りに、第１の側面、第２の側面、第３の側面、第４の側面を有し、
前記第１の側面は前記第１の辺に対し平行な関係にあり、
前記第２の側面は前記第２の辺に対し平行な関係にあり、
前記第３の側面は前記第３の辺に対し平行な関係にあり、
前記第４の側面は前記第４の辺に対し平行な関係にあり、
前記第１の側面に前記第１の辺に平行な第１の凸状部が設けられ、
前記第２の側面に前記第２の辺に平行な第２の凸状部が設けられ、
前記第３の側面に前記第３の辺に平行な第３の凸状部が設けられ、
前記第４の側面に前記第４の辺に平行な第４の凸状部が設けられ、
前記第１の凸状部、前記第２の凸状部、前記第３の凸状部、前記第４の凸状部を案内する案内部を有すると共に、前記本体を支持する支持部を有する取り付け部材が壁に取り付けられ、
前記案内部は、前記壁から遠ざかるように間隔を有して複数設けられている
ことを特徴とする請求項１記載のフォトフレーム。
【請求項６】
壁に取り付けられた請求項４記載のフォトフレームを少なくとも二つ設け、
前記二つのフォトフレームは、第１のフォトフレームと第２のフォトフレームであり、
前記第１のフォトフレームと前記第２のフォトフレームの壁からの距離を異ならせると共に、正面視、前記第１のフォトフレームと前記第２のフォトフレームが重なっている
ことを特徴とするフォトフレーム。      
【請求項７】
写真を保持した本体を有するフォトフレームであって、
前記本体の裏面に突出体が設けられ、
前記突出体は、前記本体の裏面に対し、直交するように設けられ、
前記突出体に被案内部が設けられ、
前記被案内部を案内する案内部と前記本体を支持する支持部を有する取り付け部材が設けられ、
前記本体を支持した前記取り付け部材を載置面に載置し、
前記案内部は、前記載置面から遠ざかるように間隔を有して複数設けられている
ことを特徴とするフォトフレーム。
【請求項８】
写真を保持した本体を有するフォトフレームであって、
前記本体の裏面に突出体が設けられ、
前記突出体は、前記本体の裏面に対し、直交するように設けられ、
前記突出体に案内部が設けられ、
前記案内部に案内される被案内部と前記本体を支持する支持部を有する取り付け部材が設けられ、
前記本体を支持した前記取り付け部材を載置面に載置し、
前記被案内部は、前記載置面から遠ざかるように間隔を有して複数設けられている
ことを特徴とするフォトフレーム。
【考案の詳細な説明】
【技術分野】
【０００１】
本考案は、フォトフレームに係り、特に、設置面から浮かした状態で取り付けることができるフォトフレームに関する。
【背景技術】
【０００２】
従来、写真を壁に近接して取り付けているものがある（特許文献１参照）。
これは、写真（２）と写真（２）より大きな布地の台（１）をはと目（３）で固定したものである。
【先行技術文献】
【特許文献】
【０００３】
【特許文献１】実用新案登録第３０１２８２４号公報
【考案の概要】
【考案が解決しようとする課題】
【０００４】
ところが、上記のものにあっては、写真（２）が壁に近接して取り付けられているため、おもしろさに欠けるという問題点が生じた。
【０００５】
本考案は、上記の問題点を考慮してなされたフォトフレームを提供することにある。
【課題を解決するための手段】
【０００６】
請求項１記載のフォトフレームは、写真を保持した本体を有するフォトフレームであって、前記本体の裏面に突出体が設けられ、前記突出体に被案内部が設けられ、前記被案内部を案内する案内部と前記本体を支持する支持部を有する取り付け部材が壁に取り付けられ、前記案内部は、前記壁から遠ざかるように間隔を有して複数設けられているものである。
【０００７】
また、請求項２記載のフォトフレームは、写真を保持した本体を有するフォトフレームであって、前記本体の裏面に突出体が設けられ、前記突出体に案内部が設けられ、前記案内部に案内される被案内部と前記本体を支持する支持部を有する取り付け部材が壁に取り付けられ、前記被案内部は、前記壁から遠ざかるように間隔を有して複数設けられているものである。
【０００８】
また、請求項３記載のフォトフレームは、本体と枠体との間に挟持された写真を有するフォトフレームであって、前記本体の裏面に突出体が設けられ、前記本体の縁部は、時計回りに、第１の辺、第２の辺、第３の辺、第４の辺を有し、前記突出体は、少なくとも、第１の側面を有し、前記第１の側面は前記第１の辺に対し平行な関係にあり、前記第１の側面に前記第１の辺に平行な第１の凸状部が設けられ、前記第１の凸状部を案内する案内部と前記本体を支持する支持部を有する取り付け部材が壁に取り付けられ、前記案内部は、前記壁から遠ざかるように間隔を有して複数設けられているものである。
【０００９】
また、請求項４記載のフォトフレームは、請求項１記載のフォトフレームにおいて、本体の縁部は、正面視、長方形形状であり、前記本体の縁部は、時計回りに、第１の辺、第２の辺、第３の辺、第４の辺を有し、前記突出体は、時計回りに、第１の側面、第２の側面、第３の側面、第４の側面を有し、前記第１の側面は前記第１の辺に対し平行な関係にあり、前記第２の側面は前記第２の辺に対し平行な関係にあり、前記第３の側面は前記第３の辺に対し平行な関係にあり、前記第４の側面は前記第４の辺に対し平行な関係にあり、前記第１の側面又は前記第３の側面に前記第１の辺に平行な第１の凸状部が設けられ、前記第２の側面又は前記第４の側面に前記第２の辺に平行な第２の凸状部が設けられ、前記第１の凸状部及び前記第２の凸状部を案内する案内部を有すると共に、前記本体を支持する支持部を有する取り付け部材が壁に取り付けられ、前記案内部は、前記壁から遠ざかるように間隔を有して複数設けられているものである。
【００１０】
また、請求項５記載のフォトフレームは、請求項１記載のフォトフレームにおいて、本体の縁部は、正面視、長方形形状であり、前記本体の縁部は、時計回りに、第１の辺、第２の辺、第３の辺、第４の辺を有し、前記突出体は、時計回りに、第１の側面、第２の側面、第３の側面、第４の側面を有し、前記第１の側面は前記第１の辺に対し平行な関係にあり、前記第２の側面は前記第２の辺に対し平行な関係にあり、前記第３の側面は前記第３の辺に対し平行な関係にあり、前記第４の側面は前記第４の辺に対し平行な関係にあり、前記第１の側面に前記第１の辺に平行な第１の凸状部が設けられ、前記第２の側面に前記第２の辺に平行な第２の凸状部が設けられ、前記第３の側面に前記第３の辺に平行な第３の凸状部が設けられ、前記第４の側面に前記第４の辺に平行な第４の凸状部が設けられ、前記第１の凸状部、前記第２の凸状部、前記第３の凸状部、前記第４の凸状部を案内する案内部を有すると共に、前記本体を支持する支持部を有する取り付け部材が壁に取り付けられ、前記案内部は、前記壁から遠ざかるように間隔を有して複数設けられているものである。
【００１１】
また、請求項６記載のフォトフレームは、壁に取り付けられた請求項４記載のフォトフレームを少なくとも二つ設け、前記二つのフォトフレームは、第１のフォトフレームと第２のフォトフレームであり、前記第１のフォトフレームと前記第２のフォトフレームの壁からの距離を異ならせると共に、正面視、前記第１のフォトフレームと前記第２のフォトフレームが重なっているものである。
【００１２】
また、請求項７記載のフォトフレームは、写真を保持した本体を有するフォトフレームであって、前記本体の裏面に突出体が設けられ、前記突出体は、前記本体の裏面に対し、直交するように設けられ、前記突出体に被案内部が設けられ、前記被案内部を案内する案内部と前記本体を支持する支持部を有する取り付け部材が設けられ、前記本体を支持した前記取り付け部材を載置面に載置し、前記案内部は、前記載置面から遠ざかるように間隔を有して複数設けられているものである。
【００１３】
また、請求項８記載のフォトフレームは、写真を保持した本体を有するフォトフレームであって、前記本体の裏面に突出体が設けられ、前記突出体は、前記本体の裏面に対し、直交するように設けられ、前記突出体に案内部が設けられ、前記案内部に案内される被案内部と前記本体を支持する支持部を有する取り付け部材が設けられ、前記本体を支持した前記取り付け部材を載置面に載置し、前記被案内部は、前記載置面から遠ざかるように間隔を有して複数設けられているものである。
【考案の効果】
【００１４】
請求項１記載のフォトフレームによれば、複数ある案内部から任意に選択して、壁に本体を近づけたり、遠ざけたりして、使用者の好みに応じてフォトフレームを壁から浮かした状態で取り付けることができる。
【００１５】
また、請求項２記載のフォトフレームによれば、複数ある被案内部から任意に選択して、壁に本体を近づけたり、遠ざけたりして、使用者の好みに応じてフォトフレームを壁から浮かした状態で取り付けることができる。
【００１６】
また、請求項３記載のフォトフレームによれば、複数ある案内部から任意に選択して、壁に本体を近づけたり、遠ざけたりして、使用者の好みに応じてフォトフレームを壁から浮かした状態で取り付けることができる。
【００１７】
また、請求項４記載のフォトフレームによれば、複数ある案内部から任意に選択して、壁に本体を近づけたり、遠ざけたりして、使用者の好みに応じてフォトフレームを壁から浮かした状態で取り付けることができ、しかも、例えば、第１の凸状部を案内部に案内して本体を横長状に支持でき、第２の凸状部を案内部に案内して本体を縦長状に支持して、使用者の好みに応じてフォトフレームを壁に取り付けることができる。
【００１８】
また、請求項５記載のフォトフレームによれば、複数ある案内部から任意に選択して、壁に本体を近づけたり、遠ざけたりして、使用者の好みに応じてフォトフレームを壁に取り付けることができ、しかも、第１の凸状部を案内部に案内して本体を横長状に支持でき、第２の凸状部を案内部に案内して本体を縦長状に支持して、使用者の好みに応じてフォトフレームを壁に取り付けることができる。
【００１９】
また、請求項６記載のフォトフレームによれば、第１のフォトフレームと第２のフォトフレームを壁から浮かした状態で取り付けることができ、しかも、正面視、第１のフォトフレームと第２のフォトフレームが重なった状態で設置することができる。
【００２０】
また、請求項７記載のフォトフレームによれば、取り付け部材を壁に取り付けない場合にあっては、複数ある案内部から任意に選択して、載置面に本体を近づけたり、遠ざけたりして、使用者の好みに応じてフォトフレームを載置面から浮かした状態で取り付けることができる。
【００２１】
また、請求項８記載のフォトフレームによれば、取り付け部材を壁に取り付けない場合にあっては、複数ある被案内部から任意に選択して、載置面に本体を近づけたり、遠ざけたりして、使用者の好みに応じてフォトフレームを載置面から浮かした状態で取り付けることができる。
【図面の簡単な説明】
【００２２】
【図１】図１は、本考案の一実施例のフォトフレームの概略的正面図である。
【図２】図２は、図１の概略的平面図である。
【図３】図３は、図１の概略的右側面図である。
【図４】図４は、図３の壁面から最大離間した状態の概略的右側面図である。
【図５】図５は、図２の取り付け部材を壁に取り付ける状態を示す概略的図である。
【図６】図６は、図１の枠体、写真、本体との関係を示す概略的図である。
【図７】図７は、図６の本体と枠体との間に挟持した写真と図５の取り付け部材との関係を示す概略的図である。
【図８】図８は、図１のフォトフレームを複数、壁に取り付けた状態の概略的図である。
【図９】図９は、図１のフォトフレームを分解した状態を撮影した写真である。
【図１０】図１０は、図９の取り付け部材を撮影した写真である。
【図１１】図１１は、図１０の取り付け部材を載置面に置いて撮影した写真である。
【図１２】図１２は、図９の本体と枠体との間に挟持した写真を撮影した写真である。
【図１３】図１３は、図１２の本体の被案内部と取り付け部材の案内部との関係を説明するために撮影した写真である。
【図１４】図１４は、図１３の本体の被案内部が取り付け部材の案内部に案内される状態を撮影した写真である。
【図１５】図１５は、図１４の本体の被案内部が取り付け部材の案内部に案内された状態を撮影した写真である。
【図１６】図１６は、図１５のフォトフレームを載置面に載置した状態を撮影した写真である。
【考案を実施するための形態】
【００２３】
本考案の一実施例のフォトフレームを図１乃至図８を参照して説明する。
【００２４】
図１に示すＦはフォトフレームで、フォトフレームＦは、写真１を保持した本体２を有するものである。
写真１を保持する手段としては、例えば、図６及び図７に示すように、枠体３を用いて、本体２と枠体３との間に写真１（図６記載の写真１は、説明の便宜のため模式的に図示されている。）を挟持しても良いし、また、図示しないが、枠体３を用いず、本体２の表面に写真１を付着する付着部（付着部は、例えば、再剥離性の粘着剤である。）を設けて、写真１を保持するようにしても良い。
【００２５】
図４及び図７に示す４は、本体２の裏面に設けられた突出体である。突出体４は、本体２の裏面に対し、直交するように設けられ、図７に示す突出体４に被案内部（被案内部は、例えば、凸状部５）が設けられている。
また、突出体４は、本体２の裏面に対し、直交するように設けられるようにしたが、本願考案にあっては、直交に限らず、例えば、図示しないが、斜め方向に突出しても良く、また、突出体４の形状は、角柱に限らず、図示しないが、円柱でも、平板状部材をクロスしたものでも良く、また、被案内部５は、図７記載の凸状部５に限らず、後述する案内部７１に案内される形状であれば、突出体４の先端に図示しない四角形、八角形等の多角形の縁部、十字形状の縁部でも良い。なお、四角形、八角形等の多角形の縁部、十字形状の縁部のように対向する縁部を複数設けて、本体２を縦、横に差し替えて案内部（案内部は、例えば、溝）７１に案内されるようにしても良い。
【００２６】
被案内部５を案内する案内部７１と本体２を支持する支持部７２を有する取り付け部材７が壁６に取り付けられている（図５参照）。
案内部７１は、壁６から遠ざかるように間隔を有して複数（例えば、第１の案内部７１Ａ、第２の案内部７１Ｂ、第３の案内部７１Ｃ）設けられている。
【００２７】
上述したフォトフレームＦによれば、複数ある案内部７１（例えば、第１の案内部７１Ａ、第２の案内部７１Ｂ、第３の案内部７１Ｃ）から任意に選択して、壁６に本体２を近づけたり、遠ざけたりして、使用者の好みに応じてフォトフレームＦを壁６から浮かした状態で取り付けることができる。
【００２８】
なお、上述したフォトフレームＦにおいては、突出体４に被案内部（被案内部は、例えば、凸状部５）、取り付け部材７に案内部（案内部は、例えば、溝７１）を設けたが、本願考案にあっては、これに限らず、図示しないが、逆に、突出体４に案内部（案内部は、例えば、溝）、取り付け部材７に案内される被案内部（被案内部は、例えば、凸状部）を設け、前記被案内部は、壁から遠ざかるように間隔を有して複数設けられるようにしても良い。
【００２９】
上述したフォトフレームＦは、写真１を保持した本体２を有するものであるが、勿論、図６及び図７に示すように、本体２と枠体３との間に挟持された写真１を有するフォトフレームＦであっても良いし、図示しないが、枠体３を設けず、本体２の表面に再剥離性の粘着部材等の付着部を設けて、写真１を本体２に保持するようにしても良い。なお、本体２の縁部は、正面視、長方形形状が良い。
【００３０】
また、本体２の縁部は、図６に示すように、時計回りに、第１の辺２１、第２の辺２２、第３の辺２３、第４の辺２４を有し、例えば、長方形でも良い。突出体４は、図７に示すように、少なくとも、第１の側面４１を有し、第１の側面４１は第１の辺２１に対し平行な関係にあり、また、第１の側面４１に第１の辺２１に平行な第１の凸状部５１（第１の凸状部５１は、例えば、長手方向に長い長手形状部材である。後述する第２の凸状部５２、第３の凸状部５３、第４の凸状部５４も同様である。）が設けられている。
そして、第１の凸状部５１を案内する案内部７１と本体２を支持する支持部７２を有する取り付け部材７が壁６に取り付けられ、案内部７１は、壁６から遠ざかるように間隔を有して複数（例えば、第１の案内部７１Ａ、第２の案内部７１Ｂ、第３の案内部７１Ｃ）設けられている。
【００３１】
「突出体４は、少なくとも、第１の側面４１を有し」と記したが、突出体４は、望ましくは、時計回りに、第１の側面４１、第２の側面４２、第３の側面４３、第４の側面４４を有した方が良い。そして、第１の側面４１は第１の辺２１に対し平行な関係にあり、第２の側面４２は第２の辺２２に対し平行な関係にあり、第３の側面４３は第３の辺２３に対し平行な関係にあり、第４の側面４４は第４の辺２４に対し平行な関係にある。
そして、第１の側面４１又は第３の側面４３に第１の辺２１に平行な第１の凸状部５１（５３）が設けられ、第２の側面４２又は第３の側面４３に第２の辺２２に平行な第２の凸状部５２（５４）が設けられ、第１の凸状部５１（５３）及び第２の凸状部５２（５４）を案内する案内部７１を有すると共に、本体２を支持するＵ字状の取り付け部材７が壁６に取り付けられ、案内部７１は、壁６から遠ざかるように間隔を有して複数（例えば、第１の案内部７１Ａ、第２の案内部７１Ｂ、第３の案内部７１Ｃ）設けられている。
このフォトフレームＦにおいては、複数ある案内部７１から任意に選択して、壁６に本体２を近づけたり、遠ざけたりして、使用者の好みに応じてフォトフレームＦを壁６から浮かした状態で取り付けることができ、しかも、例えば、第１の凸状部５１（５３）を案内部７１に案内して本体２を縦長状に支持でき［図８の第１、第２のフォトフレームＦ１、Ｆ２（Ｆ）参照］、第２の凸状部５２（５４）を案内部７１に案内して本体２を横長状に支持して［図８の第３のフォトフレームＦ３（Ｆ）参照］、使用者の好みに応じてフォトフレームＦを壁６に取り付けることができる。
【００３２】
また、「第１の側面４１又は第３の側面４３に第１の辺２１に平行な第１の凸状部５１（５３）が設けられ、第２の側面４２又は第４の側面４４に第２の辺に平行な第２の凸状部５２（５４）が設けられ、」と記したが、突出体４は、望ましくは、第１の側面４１に第１の辺２１に平行な第１の凸状部５１が設けられ、第２の側面４２に第２の辺２２に平行な第２の凸状部５２が設けられ、第３の側面４３に第３の辺２３に平行な第３の凸状部５３が設けられ、第４の側面４４に第４の辺２４に平行な第４の凸状部５４が設けられるのが良い。
そして、第１の凸状部５１、第２の凸状部５２、第３の凸状部５３、第４の凸状部５４を案内する案内部７１を有すると共に、本体２を支持する支持部７２を有する取り付け部材７が壁６に取り付けられ、案内部７２は、壁６から遠ざかるように間隔を有して複数（例えば、第１の案内部７１Ａ、第２の案内部７１Ｂ、第３の案内部７１Ｃ）設けられている。図３は、凸状部５が第１の案内部７１Ａに案内された場合で、例えば、壁６からの距離が最も近づき、２１．８ｍｍ、図４は、凸状部５が第１の案内部７１Ｃに案内された場合で、例えば、壁６からの距離が最も離れ、３４．２ｍｍとなっている。
【００３３】
また、図８に示すように、上記した壁６に取り付けられたフォトフレームＦを少なくとも二つ設け（本実施例では、フォトフレームＦは、第１のフォトフレームＦ１、第２のフォトフレームＦ２、第３のフォトフレームＦ３の三つ）、二つのフォトフレームＦは、第１のフォトフレームＦ１と第２のフォトフレームＦ２である。
第１のフォトフレームＦ１と第２のフォトフレームＦ２の壁６からの距離を異ならせると共に、正面視、第１のフォトフレームＦ１と第２のフォトフレームＦ２が重なるようにすることができる。
【００３４】
上記したフォトフレームＦは、何れも、壁６に取り付けられるようにしたが、載置面（例えば、机、テーブル等）に載置するようにしても良い（図９乃至図１６）。
この場合のフォトフレームＦは、写真１を保持した本体２を有するフォトフレームＦであって、本体２の裏面に突出体４が設けられ、突出体４は、本体２の裏面に対し、直交するように設けられ、突出体４に被案内部（被案内部は、例えば、凸状部５）が設けられ、凸状部５を案内する案内部（案内部は、例えば、溝７１）と本体２を支持する支持部７２を有する取り付け部材７が設けられ、本体２を支持した取り付け部材７を載置面（例えば、机、テーブル等）６’に載置し、案内部７１は、載置面６’から遠ざかるように間隔を有して複数（例えば、第１の案内部７１Ａ、第２の案内部７１Ｂ、第３の案内部７１Ｃ）設けられている。
このフォトフレームＦによれば、取り付け部材７を壁６に取り付けない場合にあっては、複数ある案内部７１から任意に選択して、載置面６’に本体２を近づけたり、遠ざけたりして、使用者の好みに応じてフォトフレームＦを載置面６’から浮かした状態で取り付けることができる。
なお、図９乃至図１６記載の実施例にあっては、図１乃至図８記載と同一部分に同一符号を付してその説明を省略する。
【００３５】
また、上述したフォトフレームＦにおいては、突出体４に被案内部（被案内部は、例えば、凸状部５）、取り付け部材７に案内部（案内部は、例えば、溝７１）を設けたが、本願考案にあっては、これに限らず、図示しないが、逆に、突出体４に案内部（案内部は、例えば、溝）、取り付け部材７に案内される被案内部（被案内部は、例えば、凸状部）を設け、前記被案内部は、載置面から遠ざかるように間隔を有して複数設けられるようにしても良い。
るようにしても良い。
【符号の説明】
【００３６】
Ｆ      フォトフレーム
１      写真
２      本体
３      枠体
４       突出体
５       被案内部（凸状部）
６       壁
７       取り付け部材
【図１】
0003224074.tif 000003
【図２】
0003224074.tif 000004
【図３】
0003224074.tif 000005
【図４】
0003224074.tif 000006
【図５】
0003224074.tif 000007
【図６】
0003224074.tif 000008
【図７】
0003224074.tif 000009
【図８】
0003224074.tif 000010
【図９】
0003224074.tif 000011
【図１０】
0003224074.tif 000012
【図１１】
0003224074.tif 000013
【図１２】
0003224074.tif 000014
【図１３】
0003224074.tif 000015
【図１４】
0003224074.tif 000016
【図１５】
0003224074.tif 000017
【図１６】
0003224074.tif 000018